(57)【要約】      （修正有）【課題】所望外の回転が発生しないよう規制を設けた開閉装置を備えた電子機器を提供する。【解決手段】第１プレート１０３が筺体に対して回転していない状態において、操作レバー１０がスライド操作されていない時は、操作レバーが第１プレートの第１軸中心の回転とスライダー１０８のスライドを妨げ、第１プレート、第２プレート、及び第３プレート１０５が筺体に対して回転していない状態において、操作レバーがスライド操作された時は、スライダーが弾性部材１０９の付勢によりスライドして、カバー爪１０７ａ、１０７ｂに対して掛かることにより回転を防止する。【選択図】図６
2019045703.tif 000002
【特許請求の範囲】
【請求項１】
筺体に設けられる第１軸と、
前記第１軸を介して前記筺体と接続し回転可能に取り付けられた第１プレート（１０３）と、
前記第１プレート（１０３）に設けられ前記第１軸に対して垂直である第２軸と、
前記第２軸を介して前記第１プレートと接続し回転可能に取り付けられた第２プレート（１０４）と、
前記第２プレートに設けられ前記第２軸と平行である第３軸と、
前記第３軸を介して前記第２プレートと接続し回転可能に取り付けられた第３プレート（１０５）と、
筺体に配置され、前記第１プレート（１０３）に近接する方向にスライド可能かつ付勢部材により付勢されている操作レバー（１０）と、
前記第１プレート（１０３）にスライド可能に配置されるスライダー（１０８）と、
前記スライダー（１０８）をスライド方向に付勢する弾性部材（１０９）と、
前記第３プレート（１０５）に固定され一体で動くフック（１０７ａ、１０７ｂ）と、を備え、
前記第１プレート（１０３）が筺体に対して回転していない状態において、前記操作レバー（１０）がスライド操作されていない時は、前記操作レバー（１０）が前記第１プレート（１０３）の前記第１軸中心の回転と前記スライダー（１０８）のスライドを妨げ、
前記第１プレート（１０３）、前記第２プレート（１０４）、及び前記第３プレート（１０５）が筺体に対して回転していない状態において、前記操作レバー（１０）がスライド操作された時は、前記スライダー（１０８）が前記弾性部材（１０９）の付勢によりスライドして、前記フック（１０７ａ、１０７ｂ）に対して掛かる開閉機構を備えたことを特徴とする電子機器。
【請求項２】
前記フック（１０７ａ、１０７ｂ）は２つ以上形成され、前記第１プレート、前記第２プレート、及び前記第３プレートが筺体に対して回転していない状態において、前記操作レバー（１０）がスライド操作された時、前記スライダー（１０８）が、前記フック（１０７ａ、１０７ｂ）の全てに対して前記第１軸と平行な方向に掛かり、そのうち少なくとも１つの前記フック（１０７ａ、１０７ｂ）に対しては、他と１８０°反転した方向に掛かる開閉機構を備えたことを特徴とする請求項１に記載の電子機器。
【発明の詳細な説明】
【技術分野】
【０００１】
本発明は、画面表示部の開閉装置を備えた電子機器に関する。
【背景技術】
【０００２】
近年、デジタルカメラ等の電子機器では、情報を表示する画面表示部の視認性を向上させるため、筺体に対する画面表示部の姿勢を変更させる開閉装置を採用したものがある。例えば、デジタルカメラでは、画面表示部の表示面に対して平行かつ表示面の長手方向と一致した２つの回転軸を中心に、所定の角度まで回転させることができる開閉装置を備えたものがある。２つの回転軸中心の回転により、画面表示部を撮影者の姿勢に合わせた向きに変更させたり、自分撮りを行いやすくするために被写体側に向きを変更させたりして、画面表示部の視認性を向上させている。
【０００３】
しかし、上記の電子機器が有する開閉装置は、画面表示部の表示面に対して平行かつ表示面の長手方向と一致した２つの回転軸中心の回転のみであるため、縦撮り時には、画面表示部を撮影者の姿勢に合わせた向きに変更させることができない。
【０００４】
この問題に対し、特許文献１では、２つの平行な軸とそれら２つの軸と垂直な軸の合計３つの軸を中心とした回転により、画面表示部の向きを変更することができる機構が開示されている。具体的には、筺体に取り付けられる板状のベースプレートに対して回転可能な第１プレートと、第１プレートに設けられる第１軸を中心に回転可能で、第１プレートに対して第１軸に沿ったスライドが可能な第２プレートと、第２プレートに設けられる第２軸を中心に回転可能な第３プレートと、第１プレート、第２プレート、及び第３プレートが重ね合わされた状態で第３プレートと第１プレートとを固定し、第３プレートを回転させる力が加わると第３プレートと第１プレートとを切り離す着脱機構と、第２プレートを第１軸に沿って第２軸から離間する方向に付勢する付勢機構と、第２プレートが第１プレートに重ねられた状態では第２プレートの第１軸に沿ったスライドを可能とし、第２プレートが第１軸を回転中心として第１プレートに対して回転された状態では、第２プレートの第１軸に沿ったスライドを規制する規制機構とを含む開閉装置を備えた電子機器が開示されている。
【先行技術文献】
【特許文献】
【０００５】
【特許文献１】特開２０１６−３８０２５号公報
【発明の概要】
【発明が解決しようとする課題】
【０００６】
しかしながら、特許文献１の構成では、いずれかの１つの回転軸中心の回転をさせた状態で、その回転軸と垂直な回転軸中心の回転をさせる力が不意に加わると、ユーザーが所望しない回転が発生する恐れがある。
【０００７】
本発明の目的は、２つの平行な回転軸と、それらの回転軸に対して垂直な回転軸を有した開閉装置に関して、所望外の回転が発生しないよう規制を設けた開閉装置を備えた電子機器を提供することにある。
【課題を解決するための手段】
【０００８】
上記目的を達成するために、筺体に設けられる第１軸と、前記第１軸を介して前記筺体と接続し回転可能に取り付けられた第１プレートと、前記第１プレートに設けられ前記第１軸に対して垂直である第２軸と、前記第２軸を介して前記第１プレートと接続し回転可能に取り付けられた第２プレートと、前記第２プレートに設けられ前記第２軸と平行である第３軸と、前記第３軸を介して前記第２プレートと接続し回転可能に取り付けられた第３プレートと、筺体に配置され、前記第１プレートに近接する方向にスライド可能かつ付勢部材により付勢されている操作レバーと、前記第１プレートにスライド可能に配置されるスライダーと、前記スライダーをスライド方向に付勢する弾性部材と、前記第３プレートに固定され一体で動くフックと、を備え、前記第１プレートが筺体に対して回転していない状態において、前記操作レバーがスライド操作されていない時は、前記操作レバーが前記第１プレートの前記第１軸中心の回転と前記スライダーのスライドを妨げ、前記第１プレート、前記第２プレート、及び前記第３プレートが筺体に対して回転していない状態において、前記操作レバーがスライド操作された時は、前記スライダーが前記弾性部材の付勢によりスライドして、前記フックに対して掛かる開閉機構を備えたことを特徴とする。
【発明の効果】
【０００９】
本発明によれば、２つの平行な回転軸と、それらの回転軸に対して垂直な回転軸を有した開閉装置に関して、所望外の回転が発生しないよう規制を設けた開閉装置を備えた電子機器を提供することにある。
【図面の簡単な説明】
【００１０】
【図１】本発明の実施の形態に係る開閉装置を有する電子機器の外観斜視図である。
【図２】本発明の実施の形態に係る開閉装置の動作説明図である。
【図３】本発明の実施の形態に係る開閉装置の分解斜視図である。
【図４】本発明の実施の形態に係る開閉装置の部分組立部の背面側斜視図である。
【図５】本発明の実施の形態に係る開閉装置の回転規制説明図である。
【図６】本発明の実施の形態に係る開閉装置の回転規制説明図である。
【図７】本発明の実施の形態に係る開閉装置の回転動作説明図である
【発明を実施するための形態】
【００１１】
以下、本発明の実施の形態を図面に基づいて説明する。尚、以下に説明する実施の形態は、本発明の実現手段としての一例であり、本発明は、その趣旨を逸脱しない範囲で下記実施形態を修正又は変形したものに適用可能である。
【００１２】
［第１の実施の形態］
図１から図７は、本実施の形態に係る図面であり、図１は、本実施の形態に係る開閉装置を有する電子機器としてのデジタルカメラの外観斜視図である。図２は、開閉装置の動作説明図である。図３は、開閉装置の分解斜視図である。図４は、開閉装置の部分組立部の背面側斜視図である。図５と図６は、開閉装置の回転規制説明図である。図７は、開閉装置の回転動作説明図である。図１から図７において、同じ番号を付記したものは同じ部材を表す。
【００１３】
図１（ａ）は、本発明の実施の形態に係る開閉装置を有するデジタルカメラ１の前面側斜視図である。デジタルカメラ１の筺体前面には、撮影レンズ鏡筒２、操作リング３が設けられている。撮影レンズ鏡筒２は、沈胴式であり、被写体光から光学像を生成し、デジタルカメラ１の筺体内部に実装された撮像素子（不図示）に結像する。
【００１４】
撮影レンズ鏡筒２の外周には、操作リング３が設けられる。操作リング３は、回転操作することにより、絞り優先モード時の絞り値やシャッター速度優先モード時のシャッター速度値等の各種設定値の変更をすることが可能となっている。
【００１５】
デジタルカメラ１の上面部には、電源ボタン４、レリーズボタン５、ズームレバー６、モードダイヤル７、露出補正ダイヤル８が備えられている。電源ボタン４は、デジタルカメラ１の電源オンとオフの操作を行う。レリーズボタン５は、撮像準備および撮像操作の指示を行う。レリーズボタン５は２段階の押圧操作が可能であり、１段目の押圧を行うと、撮影準備動作（測光動作や測距動作等）が開始され、２段目の押圧を行うと、被写体を撮影し、記録媒体（不図示）に被写体像の画像デ−タを記録する。レリーズボタン５の外周部には、レリーズボタン５を中心に所定の角度で回動し、撮影画角の変更を行うズームレバー６が配置されている。デジタルカメラ１の筺体上面から見て時計回りに回転させると、撮影レンズ鏡筒２がテレ側（画角が狭くなる方向）にズ−ム動作を行い、逆に反時計回りに回転させると撮影レンズ鏡筒２がワイド側（画角が広がる方向）にズ−ム動作を行う。モードダイヤル７は、静止画撮影や動画撮影等の各種撮影モードの切替えを行う。モードダイヤル７は、各種の撮影モードに応じた指標（不図示）が印刷されており、各指標を所定の位置に合わせることで、指標に応じた撮影モードの設定を行うことができる。露出ダイヤル８は、撮影画像の明るさの補正量を設定する。
【００１６】
図１（ｂ）は、デジタルカメラ１の背面側斜視図である。デジタルカメラ１の背面部には、表示部支持体１００、液晶表示部９、操作レバー１０が設けられる。液晶表示部９は、撮影前のスルー画像や、撮影画像、各種撮影条件を表示する液晶表示部９が表示される。液晶表示部９には、タッチセンサーが内蔵され、撮像パラメータの変更、液晶表示部９の表示形式の変更といった機能を選択する際に利用する。
【００１７】
図２は、デジタルカメラ１の背面側斜視図であり、表示部支持体１００による液晶表示部９の回動を示している。液晶表示部９は、表示部支持体１００により、図２（ａ）に示したように、筺体下部に設けられた回転軸Ａを中心に、筺体に対し約４５°回転させることができ、ユーザーが自分の頭より高く筺体を保持している時の視認性を向上させている。また、液晶表示部９は、図２（ｂ）に示したように、筺体上部に設けられた回転軸Ｂを中心に、筺体に対し約１８０°（略１８０°反転）まで回転させることができる。約１８０°まで回転させると、自分撮りを行う時の視認性を向上させることができ、約９０°までで回転を停止させると、ユーザーが自分の頭より低く筺体を保持している時の視認性を向上させることができる。さらに、液晶表示部９は、図２（ｃ）に示したように、回転軸Ｃを中心に約９０°回転させることができ、撮影画像を縦長のアスペクト比にするため、筺体を９０°傾ける縦撮り時の視認性を向上させている。
【００１８】
切替レバー１０は、表示部支持体１００の回転規制の切替を行う。切替レバー１０は、不図示の付勢部材により、矢印Ｄ（図１（ｂ）にて図示）方向に付勢されている。表示部支持体１００が筺体に収納された状態で、切替レバー１０を操作していない時は、回転軸Ａおよび回転軸Ｂを中心とした回転のみが可能で、切替レバー１０を矢印Ｅ（図１（ｂ）にて図示）方向にスライド操作した状態では、回転軸Ｃを中心とした回転のみが可能となる。その詳細については、後述する表示部支持体１００の構成と共に説明する。
【００１９】
デジタルカメラ１の側面部には、各種外部デバイスに接続するための端子類を保護する端子カバー１１が配置される。
【００２０】
次に、図３から図７を用いて、図１（ｂ）の表示部支持体１００の構成について説明する。図３は、表示部支持体１００の分解斜視図である。  図３に示すように、表示部支持体１００は、ベースプレート１０１、ヒンジシャフト１０２、第１ヒンジプレート１０３、第２ヒンジプレート１０４、第３ヒンジプレート１０５、液晶前面カバー１０６、液晶背面カバー１０７、２つのスライダー１０８、弾性部材１０９、目隠しカバー１１０、板バネ１１２、ヒンジ軸１１３Ａ、１１３Ｂ、波ワッシャー１１４Ａ、１１４Ｂ、段付きビス１１５で構成される。
【００２１】
ベースプレート１０１は、板金部品であり、筺体の骨格をなすシャーシ部品（不図示）にネジ等により固定され、ヒンジシャフト１０２を挿通するための軸受部１０１Ｃが形成されている。
【００２２】
第１ヒンジプレート１０３は、液晶表示部９とほぼ同一の大きさの板金部品であり、ヒンジシャフト１０２を挿通するための軸受部１０３Ｃや、ヒンジ軸１１３Ａを挿通するための軸受部１０３Ａが形成されている。
【００２３】
第２ヒンジプレート１０４は、板金部品であり、ヒンジ軸１１３Ｂを挿通するための軸受部１０４Ｂや、ヒンジ軸１１３Ａを挿通するための軸受部１０４Ａが形成されている。
【００２４】
第３ヒンジプレート１０５は、液晶表示部９とほぼ同一の大きさの板金部品であり、ヒンジ軸１１３Ｂを挿通するための軸受部１０５Ｂが形成され、液晶前面カバー１０６と液晶背面カバー１０７とビスにより固定され、一体となる。
【００２５】
スライダー１０８は、ＰＣ等のプラスチック材料からなり、段付きビス１１５により、第１ヒンジプレート１０３に対して並進可能に取り付けられている。
【００２６】
ベースプレート１０１と第１ヒンジプレート１０３は、各々に形成された軸受部１０１Ｃと軸受部１０３Ｃにヒンジシャフト１０２を挿通させ、固定することで、回転可能に連結されている。この回転軸が、図２（ｃ）で示した回転軸Ｃである。軸受部１０３Ｃとヒンジシャフト１０２は、レーザー溶着で固定される。ベースプレート１０１は、ヒンジシャフト１０２に形成された凹部（不図示）に２つのＣリング１１１を挿入することで、ヒンジシャフト１０２に対して配置される。この時、ベースプレート１０１に固定された板バネ１１２が、ヒンジシャフト１０２を付勢することで、ベースプレート１０１に対して第１ヒンジプレート１０３を回転させる時の摺動トルクを発生させている。
【００２７】
第１ヒンジプレート１０３と第２ヒンジプレート１０４は、各々に２箇所ずつ形成された軸受部１０３Ａと軸受部１０４Ａに、ヒンジ軸１１３Ａを挿通させ、反対側に配置した波ワッシャー１１４Ａと加締めることで、回転可能に連結されている。これらの２箇所の回転中心は同軸であり、図２（ａ）で示した回転軸Ａを構成する。この時、波ワッシャー１１４Ａが、軸受部１０３Ａを付勢することで、第１ヒンジプレート１０３に対して、第２ヒンジプレート１０４を回転させる時の摺動トルクを発生させている。
【００２８】
第２ヒンジプレート１０４と第３ヒンジプレート１０５は、各々に２箇所ずつ形成された軸受部１０４Ｂと軸受部１０５Ｂに、ヒンジ軸１１３Ｂを挿通させ、軸受部１０４Ｂに加締めることで、回転可能に連結されている。これらの２箇所の回転中心は同軸であり、図２（ｂ）で示した回転軸Ｂを構成する。この時、ヒンジ軸１１３Ｂと軸受部１０５Ｂの間に波ワッシャー１１４Ｂを挟み、波ワッシャー１１４Ｂが軸受部１０３Ａを付勢することで、第２ヒンジプレート１０４に対して、第３ヒンジプレート１０５を回転させる時の摺動トルクを発生させている。
【００２９】
第１ヒンジプレート１０３に配置された２つのスライダー１０８は、両端が各スライダー１０８に掛かっている弾性部材１０９により、近接する方向に付勢されている。目隠しカバー１１０は、弾性部材１０９を外観から見えないようにするために、２つのスライダー１０８と弾性部材１０９が配置された後に、第１ヒンジプレート１０３に固定される。
【００３０】
図４（ａ）は、第３ヒンジプレート１０５と液晶前面カバー１０６と液晶背面カバー１０７が一体となった状態での背面側斜視図である。なお、説明のため、表示部支持体１００の他の構成部品は省略している。液晶背面カバー１０７には、２つのカバー爪１０７ａ、１０７ｂが形成されている。２つのカバー爪１０７ａ、１０７ｂは、スライダー１０８と投影上重なる部分に形成され、第３ヒンジプレート１０５の上方側と下方側に分かれて配置されている。図４（ｂ）は、２つのカバー爪１０７ａ、１０７ｂ部の断面図である。上側のカバー爪１０７ａは、上方側が掛かるようになっており、下側のカバー爪１０７ｂは、下方側が掛かるようになっている。
【００３１】
次に、図５から図７を用いて、表示部支持体１００の回転規制切替機構について説明する。図５は、表示部支持体１００が筺体に収納され、切替レバー１０を操作していない状態であり、図６は、表示部支持体１００が筺体に収納され、切替レバー１０を矢印Ｅ方向にスライド操作した状態である。図５（ａ）、図６（ａ）は、表示部支持体１００と切替レバー１０の状態を示した図であり、説明のため、筺体は省略している。図５（ｂ）、図６（ｂ）は、スライダー１０８と切替レバー１０の状態を示した拡大図であり、説明のため、筺体、目隠しカバー１１０等は省略している。図５（ｃ）は、図５（ａ）における断面Ｚ−Ｚであり、図６（ｃ）は、図６（ａ）における断面Ｙ−Ｙである。
【００３２】
図５に示したように、切替レバー１０を操作していない状態では、切替レバー１０は、不図示の付勢部材により、第１ヒンジプレート１０３側に近づく矢印Ｄ方向に付勢され、第１ヒンジプレート１０３に形成されたレバー掛かり部１０３ｄに掛かる。すると、切替レバー１０により、第１ヒンジプレート１０３の回転を妨げられ、表示部支持体１００の回転軸Ｃ中心の回転が規制される。また、切替レバー１０は、スライダー１０８に形成された第１斜面１０８ｂと当接する。この時、不図示の付勢部材から切替レバー１０が受ける付勢力は、弾性部材１０９の付勢力より十分に大きく設定されているため、切替レバー１０の当接により、２つのスライダー１０８は、上下に離れる。そのため、スライダー１０８に形成された回転規制爪１０８ａが、カバー爪１０７ａ、１０７ｂに掛からない。よって、この時、表示部支持体１００は、回転軸Ｃ中心が規制され、回転軸Ａ中心の回転と回転軸Ｂ中心の回転のみが可能となる。
【００３３】
図６に示した切替レバー１０を不図示の付勢部材の付勢力に抗して矢印Ｅ方向にスライド操作した状態では、切替レバー１０は、第１ヒンジプレート１０３から離れ、レバー掛かり部１０３ｄには掛からない。さらに、切替レバー１０は、スライダー１０８とも当接しなくなるため、２つのスライダー１０８は、弾性部材１０９の付勢力により、互いに近寄り、回転規制爪１０８ａがカバー爪１０７ａ、１０７ｂに掛かる。すると、回転規制爪１０８ａとカバー爪１０７ｂの掛かることにより、液晶背面カバー１０７が、第１ヒンジプレート１０３に対して、回転軸Ａ中心に回転するのを妨げられる。また同時に、回転規制爪１０８ａとカバー爪１０７ａの掛かることにより、液晶背面カバー１０７が、第１ヒンジプレート１０３に対して、回転軸Ｂ中心に回転するのを妨げられる。よって、この時、表示部支持体１００は、回転軸Ａ中心の回転と回転軸Ｂ中心の回転が規制され、回転軸Ｃ中心の回転のみが可能となる。
【００３４】
次に、図７を用いて、表示部支持体１００を回転軸Ｃ中心に回転させた後に、筺体に戻す際の回転規制切替機構の挙動について説明する。図７（ａ）は、筺体の上面側から見た表示部支持体１００の回転状態を示す図である。図７（ｂ）は、図７（ａ）の状態での、スライダー１０８および切替レバー１０の状態を示す図である。図７（ｃ）は、図７（ｂ）の断面図Ｘ−Ｘであり、図７（ｄ）は、図７（ｂ）の断面図Ｗ−Ｗである。
【００３５】
図７（ｃ）に示したように、切替レバー１０には、第１受け斜面１０ａが形成される。第１ヒンジプレート１０３が回転軸Ｃ中心の回転で戻ってきた時に、レバー掛かり部１０３ｄが第１受け面１０ａに当接して押し込み、切替レバー１０を矢印Ｅ方向に移動させることで、レバー掛かり部１０３ｄは、切替レバー１０を通過することができる。
【００３６】
また、図７（ｄ）に示したように、第１ヒンジプレート１０３が回転軸Ｃ中心の回転で戻り、レバー掛かり部１０３ｄが切替レバー１０を通過した直後に、切替レバー１０に形成された第２受け斜面１０ｂとスライダー１０８に形成された第２斜面１０８ｃが当接する。当接した状態から更に押し込まれることで、弾性部材１０９に付勢され近接していた２つのスライダー１０８は、上下に離れた状態に戻される。
【００３７】
以上説明したように、本実施の形態では、筺体に設定した切替レバー１０と２つスライダー１０８とカバー爪１０７ａ、１０７ｂにより、２つの平行な回転軸中心の回転と、それらの回転軸に対して垂直な回転軸中心の回転との回転規制切替を可能とした。よって、２つの平行な回転軸と、それらの回転軸に対して垂直な回転軸を有した開閉装置に関して、所望外の回転が発生しないよう規制を設けた開閉装置を備えた電子機器を提供することができる。
【符号の説明】
【００３８】
１０：切替レバー
１０ａ：第１受け斜面
１０ｂ：第２受け斜面
１００：表示部支持体
１０１：ベースプレート
１０１Ｃ：軸受部
１０２：ヒンジシャフト
１０３：第１ヒンジプレート
１０３Ａ：軸受部
１０３Ｃ：軸受部
１０３ｄ：レバー掛かり部
１０４：第２ヒンジプレート
１０４Ａ：軸受部
１０４Ｂ：軸受部
１０５：第３ヒンジプレート
１０５Ｂ：軸受部
１０６：液晶前面カバー
１０７：液晶背面カバー
１０７ａ、１０７ｂ：カバー爪
１０８：スライダー
１０８ａ：回転規制爪
１０８ｂ：第１斜面
１０８ｃ：第２斜面
１０９：弾性部材
１１０：目隠しカバー
１１１：Ｃリング
１１２：板バネ
１１３Ａ、１１３Ｂ：ヒンジ軸
１１４Ａ、１１４Ｂ：波ワッシャー
１１５：段付きビス
【図１】
2019045703.tif 000003
【図２】
2019045703.tif 000004
【図３】
2019045703.tif 000005
【図４】
2019045703.tif 000006
【図５】
2019045703.tif 000007
【図６】
2019045703.tif 000008
【図７】
2019045703.tif 000009